(57)【特許請求の範囲】
【請求項１】
複数個の缶詰を各缶詰の上端を別の缶詰の下端に接触させた状態で整列させ、これらの缶詰に略長方形状の集積シュリンク包装用フィルムを被せ、該集積シュリンク包装用フィルムには集積包装内の各缶詰に付せられているバーコードを読み取り不能に遮蔽するためのバーコード遮蔽印刷を施すと共に集積包装内の全缶詰に対応する単一のバーコードを設け、該集積シュリンク包装用フィルムの相対向する一対の側縁を相互にシールして中央シール線を形成することにより該集積シュリンク包装用フィルムを複数個の缶詰を囲む略円筒状に形成し、該集積シュリンク包装用フィルムの両端をシールすることにより複数個の缶詰を集積シュリンク包装用フィルム内に密閉し、該集積シュリンク包装用フィルムをシュリンク装置により収縮させるようにした集積シュリンク包装において、前記略長方形状の集積シュリンク包装用フィルムの相対向する一対の側縁における中央シール線が形成されるべき直線状部分の内側近傍にそれぞれ前記バーコード遮蔽印刷を施すようにしたことを特徴とする、缶詰の集積シュリンク包装用フィルムにおけるバーコード遮蔽印刷。
【発明の詳細な説明】
【０００１】
【発明の属する技術分野】
本発明は缶詰の集積シュリンク包装用フィルムにおけるバーコード遮蔽印刷に関するものである。
【０００２】
【従来の技術】
缶詰はしばしば複数個を積み重ねた状態で集積シュリンク包装されるが、この場合には、店頭販売時におけるバーコードの読み取り作業を容易ならしめるために、集積包装内の各缶詰に付せられているバーコードを透明な集積シュリンク包装用フィルムに予め施されたバーコード遮蔽印刷により読み取り不能に遮蔽すると共に該集積シュリンク包装用フィルムには集積包装内の全缶詰に対応する単一のバーコードを設け、店頭販売時には集積包装内の各缶詰のバーコードを読み取る代わりに当該単一のバーコードのみを読み取るようにしている。
【０００３】
複数個の缶詰を積み重ねた状態で集積シュリンク包装する作業は一般に次のようにして行われている。図７〜図１０参照。
▲１▼複数個の缶詰１を各缶詰１の上端（上面）を別の缶詰１の下端（底部）に接触させた状態で水平方向に配列させる。
▲２▼これらの缶詰１に略長方形状の集積シュリンク包装用フィルム３を被せる。当該略長方形状の集積シュリンク包装用フィルム３は、例えばロール状の集積シュリンク包装用フィルムを集積包装時に各集積包装用に略長方形状に切断してなるものである。
▲３▼略長方形状の集積シュリンク包装用フィルム３における相対向する一対の側縁を切断する（図７参照）と共に相互にシールして該集積シュリンク包装用フィルム３を複数個の缶詰１を囲む略円筒状に形成する。集積シュリンク包装用フィルム３の相対向する一対の側縁を切断・シールすることにより中央シール線５が形成される。図８参照。
▲４▼略円筒状に形成された集積シュリンク包装用フィルム３の両端をシールすることにより複数個の缶詰１を集積シュリンク包装用フィルム３内に密閉する。集積シュリンク包装用フィルム３の両端をシールすることにより端部シール線７が形成される。このとき、集積シュリンク包装用フィルム３の両端における両側部にはツノ状の突出部９があらわれる。図９参照。
▲５▼複数個の缶詰１を密閉している集積シュリンク包装用フィルム３をシュリンク装置により収縮させる。集積シュリンク包装用フィルム３の収縮に伴い、ツノ状の突出部９は固まって小塊状部９ａとなる。図１０参照。なお、集積シュリンク包装用フィルム３の収縮を可能ならしめるために、該集積シュリンク包装用フィルム３には予め空気抜き用の小孔（図示せず。）が形成されている。
【０００４】
このような略長方形状の集積シュリンク包装用フィルム３の表面における略中央部には、例えば図４に示すように、集積包装内の各缶詰１に付せられているバーコード４を読み取り不能に遮蔽するためのバーコード遮蔽印刷１１が予め施されていると共に集積包装内の全缶詰１に対応する単一のバーコード６が設けられている。
【０００５】
特許請求の範囲を含む本明細書における「バーコード」には、一次元バーコードのみならず、田の字型等の二次元バーコードも含まれる。また、特許請求の範囲を含む本明細書における「バーコード」は、缶詰の上下方向、左右方向その他いかなる方向に配設されたものであってもよい。
【０００６】
【発明が解決しようとする課題】
集積シュリンク包装用フィルムは、集積包装内の缶詰が外部から見えるように透明な材料により形成されている。従って、商品としての外観を好ましいものにするために、集積包装内には同一種類の缶詰のみが缶胴表面の印刷の位置を揃えた状態で配設されている。即ち、集積包装内には同一種類の缶詰めのみが包装され、しかもこれらの缶詰における缶胴表面に印刷された図形、商標、バーコード等の位置は相互に一致している。図５参照。
【０００７】
缶詰においては、図形、商標等が表示されている面がいわば缶詰の「顔」となる正面１ａであり、バーコードが表示されている面は缶詰の背面１ｂである。
【０００８】
しかして、上記従来の略長方形状の集積シュリンク包装用フィルムにおいては、バーコード遮蔽印刷は該フィルムの略中央部に配設されているため、バーコード遮蔽印刷を缶詰背面のバーコードに一致させた状態で集積シュリンク包装用フィルムにより缶詰を集積包装したとき（図５参照）には、集積シュリンク包装用フィルムの中央シール線５は缶詰の正面１ａに位置することになる。図６参照。その結果、集積包装された缶詰の「顔」となるべき正面１ａに中央シール線５の線があらわれ、集積包装された缶詰の外観が損なわれるという問題が生ずる。
【０００９】
また、集積シュリンク包装用フィルムには、バーコード遮蔽印刷以外にも例えば購買者の注意を喚起するための商標、図形、記号、写真、文字等のアイキャッチャーその他の広告宣伝用印刷１３を施す場合がある（図４参照）。しかるに、上記従来の略長方形状の集積シュリンク包装用フィルムにおいては、バーコード遮蔽印刷１１が該フィルムの略中央部に配設されているため、バーコード遮蔽印刷１１以外の広告宣伝用印刷１３を施すスペースを充分に確保することができないという問題が生ずる
【００１０】
更に、バーコード遮蔽印刷１１が該フィルムの略中央部に配設されているため、上述の如く中央シール線５が缶詰の正面１ａに位置することになり、バーコード遮蔽印刷１１以外の広告宣伝用印刷１３を缶詰の正面１ａに位置させることができないという問題も生ずる。
【００１１】
本発明は上記従来の集積シュリンク包装用フィルムにおけるバーコード遮蔽印刷に関する上述の如き問題を解決しようとしてなされたものである。
【００１２】
【課題を解決するための手段】
上記課題を解決するために、本発明は略長方形状の集積シュリンク包装用フィルムの相対向する一対の側縁における中央シール線が形成されるべき直線状部分の内側近傍にそれぞれバーコード遮蔽印刷を施すようにしたものである。
【００１３】
即ち、本発明は、
複数個の缶詰を各缶詰の上端を別の缶詰の下端に接触させた状態で整列させ、これらの缶詰に略長方形状の集積シュリンク包装用フィルムを被せ、該集積シュリンク包装用フィルムには集積包装内の各缶詰に付せられているバーコードを読み取り不能に遮蔽するためのバーコード遮蔽印刷を施すと共に集積包装内の全缶詰に対応する単一のバーコードを設け、該集積シュリンク包装用フィルムの相対向する一対の側縁を相互にシールして中央シール線を形成することにより該集積シュリンク包装用フィルムを複数個の缶詰を囲む略円筒状に形成し、該集積シュリンク包装用フィルムの両端をシールすることにより複数個の缶詰を集積シュリンク包装用フィルム内に密閉し、該集積シュリンク包装用フィルムをシュリンク装置により収縮させるようにした集積シュリンク包装において、
前記略長方形状の集積シュリンク包装用フィルムの相対向する一対の側縁における中央シール線が形成されるべき直線状部分の内側近傍にそれぞれ前記バーコード遮蔽印刷を施すようにしたことを特徴とする、缶詰の集積シュリンク包装用フィルムにおけるバーコード遮蔽印刷
を提供するものである。
【００１４】
特許請求の範囲を含む本明細書における「略長方形状の集積シュリンク包装用フィルム」は、ロール状の集積シュリンク包装用フィルムを集積包装時に各集積包装用に略長方形状に切断してなるものを含むものとする。
【００１５】
【作用】
本発明においては、バーコード遮蔽印刷は略長方形状の集積シュリンク包装用フィルムの相対向する一対の側縁における中央シール線が形成されるべき直線状部分の内側近傍にそれぞれ形成されている。従って、バーコード遮蔽印刷を缶詰背面のバーコードに一致させた状態で集積シュリンク包装用フィルムにより缶詰を集積包装したときには、集積シュリンク包装用フィルムの中央シール線は缶詰の背面１ｂに位置し、一対のバーコード遮蔽印刷は中央シール線を挟んで連続したものとなる（図２参照）。即ち、中央シール線は缶詰の背面１ｂにおけるバーコード遮蔽印刷の中央に位置するため、該中央シール線は目立たないものとなり、該中央シール線により缶詰の外観が損なわれることはない。
【００１６】
また、本発明においては、バーコード遮蔽印刷は略長方形状の集積シュリンク包装用フィルムの相対向する一対の側縁における中央シール線が形成されるべき直線状部分の内側近傍にそれぞれ予め形成されているため、集積シュリンク包装用フィルムの中央部分には広い空きスペースがある。この広い空きスペースにバーコード遮蔽印刷以外の所望の広告宣伝用印刷を形成することができる。
【００１７】
更に、本発明においては、バーコード遮蔽印刷を缶詰背面のバーコードに一致させた状態で集積シュリンク包装用フィルムにより缶詰を集積包装したときには、該集積シュリンク包装用フィルムにおける中央部分の空きスペースは缶詰の正面に位置する。従って、該空きスペースに形成した広告宣伝用印刷を缶詰の「顔」となる正面に目立つように配設することが可能となる。
【００１８】
【発明の実施の形態】
次に、本発明の実施の形態を添付図面に従って説明する。
本発明は缶詰の集積シュリンク包装に適用されるものである。この集積シュリンク包装は、上記従来におけるものと同じであるが、再度簡単に説明すると、複数個の缶詰１を各缶詰１の上端を別の缶詰１の下端に接触させた状態で一例として水平方向に配列させ、これらの缶詰１に略長方形状の透明な集積シュリンク包装用フィルム３を被せ、該集積シュリンク包装用フィルム３には集積包装内の各缶詰１に付せられているバーコード４を読み取り不能に遮蔽するためのバーコード遮蔽印刷１１を施すと共に集積包装内の全缶詰１に対応する単一のバーコード６を設け、該集積シュリンク包装用フィルム３の相対向する一対の側縁を相互にシールして中央シール線５を形成することにより該集積シュリンク包装用フィルム３を複数個の缶詰１を囲む略円筒状に形成し、該集積シュリンク包装用フィルム３の両端をシールすることにより複数個の缶詰１を集積シュリンク包装用フィルム３内に密閉し、該集積シュリンク包装用フィルム３をシュリンク装置により収縮させるようにしてなるものである。
【００１９】
上述の如く、集積シュリンク包装用フィルム３の両端をシールすることにより端部シール線７が形成されるのであるが、このとき、集積シュリンク包装用フィルム３の両端における両側部にはツノ状の突出部９があらわれる。該突出部９は、集積シュリンク包装用フィルム３の収縮に伴い、固まって小塊状部９ａとなる。
【００２０】
集積シュリンク包装用フィルム３としては、例えば１５〜３０μｍ厚の２軸ないし１軸延伸ポリオレフィンフィルムが用いられる。
【００２１】
しかして、本発明においては、前記略長方形状の集積シュリンク包装用フィルム３の相対向する一対の側縁３ａ、３ｂにおける中央シール線５が形成されるべき直線状部分５’の内側近傍にそれぞれバーコード遮蔽印刷１１ａ、１１ｂを予め施す。
【００２２】
図１〜図３に示すバーコード遮蔽印刷１１ａ、１１ｂは集積包装内の各缶詰１に付せられているバーコード４と略平行な直線模様であるが、バーコード遮蔽印刷１１ａ、１１ｂは集積包装内の各缶詰１に付せられているバーコード４を読み取り不能に遮蔽し得るものであればいかなるものであってもよい。
【００２３】
集積包装内の全缶詰１に対応する単一のバーコード６は、図１に示す事例においては、集積シュリンク包装用フィルム３の一方の側縁３ａにおける中央シール線が形成されるべき直線部分５’の内側に印刷されている。
【００２４】
図１に示す事例においては、集積シュリンク包装用フィルム３における中央部分の空きスペースには広告宣伝用印刷１３としてアイキャッチャーが印刷されている。
【００２５】
【発明の効果】
以上説明したように、本発明においては、バーコード遮蔽印刷は略長方形状の集積シュリンク包装用フィルムの相対向する一対の側縁における中央シール線が形成されるべき直線状部分の内側近傍にそれぞれ形成されている。従って、バーコード遮蔽印刷を缶詰背面のバーコードに一致させた状態で集積シュリンク包装用フィルムにより缶詰を集積包装したときには、集積シュリンク包装用フィルムの中央シール線は缶詰の背面に位置し、一対のバーコード遮蔽印刷は中央シール線を挟んで連続したものとなる。即ち、中央シール線は缶詰の背面におけるバーコード遮蔽印刷の中央に位置するため、該中央シール線は目立たないものとなり、該中央シール線により缶詰の外観が損なわれることはない。
【００２６】
また、本発明においては、バーコード遮蔽印刷は略長方形状の集積シュリンク包装用フィルムの相対向する一対の側縁における中央シール線が形成されるべき直線状部分の内側近傍にそれぞれ形成されているため、集積シュリンク包装用フィルムの中央部分には広い空きスペースがある。この広い空きスペースにバーコード遮蔽印刷以外の所望の広告宣伝用印刷を形成することができる。
【００２７】
更に、本発明においては、バーコード遮蔽印刷を缶詰背面のバーコードに一致させた状態で集積シュリンク包装用フィルムにより缶詰を集積包装したときには、該集積シュリンク包装用フィルムにおける中央部分の空きスペースは缶詰の正面に位置する。従って、該空きスペースに形成した広告宣伝用印刷を缶詰の「顔」となる正面に目立つように配設することが可能となる。
【図面の簡単な説明】
【図１】本発明によるバーコード遮蔽印刷を備えた集積シュリンク包装用フィルムの一例を示す平面図である。
【図２】同上集積シュリンク包装用フィルムを用いた集積包装の一例を示す斜視図である。
【図３】同上集積シュリンク包装用フィルムを用いた集積包装の一例を示す別の斜視図である。
【図４】従来のバーコード遮蔽印刷を備えた集積シュリンク包装用フィルムの一例を示す平面図である。
【図５】同上集積シュリンク包装用フィルムを用いた集積包装の一例を示す斜視図である。
【図６】同上集積シュリンク包装用フィルムを用いた集積包装の一例を示す別の斜視図である。
【図７】略長方形状の集積シュリンク包装用フィルムの相対向する一対の側縁を切断している状態を示す正面図である。
【図８】集積シュリンク包装作業を示す斜視図である。
【図９】集積シュリンク包装作業を示す別の斜視図である。
【図１０】集積シュリンク包装作業を示す更に別の斜視図である。
【符号の説明】
１  缶詰
１ａ  正面
１ｂ  背面
３  集積シュリンク包装用フィルム
３ａ  側縁
３ｂ  側縁
４  バーコード
５  中央シール線
５’  直線状部分
６  バーコード
７  端部シール線
９  突出部
９ａ  小塊状部
１１  バーコード遮蔽印刷
１１ａ  バーコード遮蔽印刷
１１ｂ  バーコード遮蔽印刷
１３  広告宣伝用印刷
【図１】
0003970605.tif 000002
【図２】
0003970605.tif 000003
【図３】
0003970605.tif 000004
【図４】
0003970605.tif 000005
【図５】
0003970605.tif 000006
【図６】
0003970605.tif 000007
【図７】
0003970605.tif 000008
【図８】
0003970605.tif 000009
【図９】
0003970605.tif 000010
【図１０】
0003970605.tif 000011